(57)【要約】【課題】写真撮影時の背景色を変更可能とする。【解決手段】蛍光灯４３ａ〜４３ｆの左右に、カラー効果光源として複数の赤色ＬＥＤ１１２、緑色ＬＥＤ１１５、青色ＬＥＤ１１８が面方向に略一様に分布するようそれぞれ配置されている。カラー効果光源を使用する場合には、カラー効果光源の配色が設定され、設定された色に対応するＬＥＤが駆動され、カラー効果光源の発光が開始される。例えば、背景色として「赤」が設定された場合には、赤色ＬＥＤ１１２のみが点灯され、緑色ＬＥＤ１１５及び青色ＬＥＤ１１８は点灯されない。そして、設定された色を背景として撮影が行われる。【選択図】図４
2006349802.tif 000002
【特許請求の範囲】
【請求項１】
面発光する内壁部を備えた箱型状の写真スタジオ装置において、
前記内壁部に、被写体に対する照明を目的とした照明用の光源と、前記照明用の光源とは異なる背景用の光源とを組み込んだことを特徴とする写真スタジオ装置。
【請求項２】
請求項１に記載の写真スタジオ装置において、
前記背景用の光源は、白色以外の発光色を有する光源で構成されることを特徴とする写真スタジオ装置。
【請求項３】
請求項２に記載の写真スタジオ装置において、
前記背景用の光源は、赤色光源、緑色光源及び青色光源を含むことを特徴とする写真スタジオ装置。
【請求項４】
請求項１〜３のいずれか一項に記載の写真スタジオ装置において、
前記背景用の光源は、ＬＥＤであることを特徴とする写真スタジオ装置。
【請求項５】
請求項１〜４のいずれか一項に記載の写真スタジオ装置において、
前記背景用の光源は、前記内壁部において面方向に略一様に分布するよう配置されていることを特徴とする写真スタジオ装置。
【請求項６】
請求項１〜５のいずれか一項に記載の写真スタジオ装置において、
前記背景用の光源を個別的に点灯若しくは消灯すること、又は、前記背景用の光源の光の強弱調節を個別的に行うことにより光量を調節する調節手段を備えたことを特徴とする写真スタジオ装置。
【請求項７】
請求項１〜６のいずれか一項に記載の写真スタジオ装置において、
前記照明用の光源は、蛍光灯であることを特徴とする写真スタジオ装置。
【請求項８】
請求項１〜７のいずれか一項に記載の写真スタジオ装置において、
前記内壁部は、乳白色で透光性を有する乳白色板で覆われていることを特徴とする写真スタジオ装置。
【発明の詳細な説明】
【技術分野】
【０００１】
本発明は、写真を撮影する際に使用する写真スタジオ装置に関する。
【背景技術】
【０００２】
一般に、写真スタジオ等で写真撮影を行う際には、被写体を明るく撮影するために、ストロボ等の光源が使用されている。ストロボ撮影の場合、実際に被写体に照射された光の照度に基づいてカメラの絞りやシャッター速度を調整することができないため、ストロボの発光量を予想して調整を行っているが、試し撮りを行わずにカメラの絞りやシャッター速度を調整することは困難である。
【０００３】
そこで、定常光を使用して撮影を行うために、壁及び天井に、自然光に近い色温度の光を放射するランプが配設された写真撮影用照明装置が提案されている（例えば、特許文献１参照。）。
【特許文献１】特開２００５−３１５１１号公報
【発明の開示】
【発明が解決しようとする課題】
【０００４】
しかし、上記写真撮影用照明装置では、照明に用いられる光源は自然光に近い色に限定されており、写真撮影時の背景色を選択することができなかった。また、一般の写真スタジオでは、背景用のスクリーンを用いる場合が多いが、背景を変える度に背景スクリーンを交換しなければならず、煩雑な作業であった。
【０００５】
本発明は、上記の従来技術における問題に鑑みてなされたものであって、写真撮影時の背景色を変更可能とする写真スタジオ装置を提供することを課題とする。
【課題を解決するための手段】
【０００６】
上記課題を解決するために、請求項１に記載の発明は、面発光する内壁部を備えた箱型状の写真スタジオ装置において、前記内壁部に、被写体に対する照明を目的とした照明用の光源と、前記照明用の光源とは異なる背景用の光源とを組み込んだことを特徴とする。
【０００７】
請求項２に記載の発明は、請求項１に記載の写真スタジオ装置において、前記背景用の光源は、白色以外の発光色を有する光源で構成されることを特徴とする。
【０００８】
請求項３に記載の発明は、請求項２に記載の写真スタジオ装置において、前記背景用の光源は、赤色光源、緑色光源及び青色光源を含むことを特徴とする。
【０００９】
請求項４に記載の発明は、請求項１〜３のいずれか一項に記載の写真スタジオ装置において、前記背景用の光源は、ＬＥＤであることを特徴とする。
【００１０】
請求項５に記載の発明は、請求項１〜４のいずれか一項に記載の写真スタジオ装置において、前記背景用の光源は、前記内壁部において面方向に略一様に分布するよう配置されていることを特徴とする。
【００１１】
請求項６に記載の発明は、請求項１〜５のいずれか一項に記載の写真スタジオ装置において、前記背景用の光源を個別的に点灯若しくは消灯すること、又は、前記背景用の光源の光の強弱調節を個別的に行うことにより光量を調節する調節手段を備えたことを特徴とする。
【００１２】
請求項７に記載の発明は、請求項１〜６のいずれか一項に記載の写真スタジオ装置において、前記照明用の光源は、蛍光灯であることを特徴とする。
【００１３】
請求項８に記載の発明は、請求項１〜７のいずれか一項に記載の写真スタジオ装置において、前記内壁部は、乳白色で透光性を有する乳白色板で覆われていることを特徴とする。
【発明の効果】
【００１４】
請求項１に記載の発明によれば、写真撮影時の背景色を変更することができる。
【００１５】
請求項２に記載の発明によれば、簡易に背景色を白色以外の色に変更することができる。
【００１６】
請求項３に記載の発明によれば、光の基本３原色により、写真撮影時の背景色を変更することができる。
【００１７】
請求項４に記載の発明によれば、ＬＥＤにより、取り扱い性が良く、写真撮影時の背景色を変更することができる。
【００１８】
請求項５に記載の発明によれば、面方向に略一様に目的とする色を表現することができる。
【００１９】
請求項６に記載の発明によれば、背景として様々な色及び形状を表現することができる。
【００２０】
請求項７に記載の発明によれば、蛍光灯により撮影に必要な光量を提供することができる。
【００２１】
請求項８に記載の発明によれば、光を拡散させ、光量ムラを低減させることができる。
【発明を実施するための最良の形態】
【００２２】
以下、図面を参照して、本発明の実施の形態における写真スタジオ装置について詳細に説明する。
図１は、本実施の形態における写真スタジオ装置１を示す斜視図である。
【００２３】
写真スタジオ装置１では、乳幼児を被写体として写真撮影することを前提とし、ストロボを使用せず、主光源として蛍光灯を使用して定常光撮影を行う。主光源とは、被写体に対する照明を目的とした照明用の光源であって、主として写真撮影を行う際に必要な光量を提供する。このように本実施の形態では主光源として蛍光灯を用いるが、本発明はこれに限定されず、白熱灯、キセノン、ハロゲン等、他の種類の照明を用いることもできる。
【００２４】
図１に示すように、写真スタジオ装置１は、右側壁２、左側壁３及び後部壁４がコの字状に組立てられ、その上に拡散部材５、蛍光灯６１〜６６、及びその蛍光灯６１〜６６を支える支柱６ａ〜６ｅが設けられて構成されている。
【００２５】
右側壁２と左側壁３と後部壁４とによって囲まれた領域である撮影対象領域７にはカーペット等の敷物８が敷かれている。その敷物８の上に乳幼児である被写体１０がいる状態で撮影が行われる。写真スタジオ装置１は、前面に撮影用開口部を有しており、撮影者１１はデジタルカメラ１２を用いて、撮影用開口部から被写体１０の撮影を行う。このとき、撮影者１１は写真スタジオ装置１の外から撮影してもよいし、写真スタジオ装置１の内部で撮影してもよい。
【００２６】
図２は、図１に示した写真スタジオ装置１の上方部分の構成を示す斜視図である。図２（ａ）は、蛍光灯６１〜６６及びその支柱６ａ〜６ｅから成る照明部材６を示す斜視図であり、図２（ｂ）は、図２（ａ）の照明部材６からの光を拡散させて供給する拡散部材５を示す斜視図である。
【００２７】
図２（ｂ）に示す拡散部材５は、薄板を網目状に組み合わせた多孔形状にて構成され、この多孔によって写真スタジオ装置１の上方において写真スタジオ装置１の内部と外部との換気が可能になっている。
【００２８】
本実施の形態において、拡散部材５の多孔を形成する薄板の幅すなわち拡散部材５の上下方向における厚さは例えば２５ｍｍであり、また、多孔のそれぞれは矩形であり、その大きさは２５ｍｍ×２５ｍｍである。この拡散部材５を構成する薄板としては、例えば、乳白色のアクリル板を用いることができる。
【００２９】
図３は、図１に示した写真スタジオ装置１の平面図であり、図３（ａ）は拡散部材５及び照明部材６を含めた写真スタジオ装置１の平面図であり、図３（ｂ）は写真スタジオ装置１から拡散部材５及び照明部材６を除いた平面図である。
【００３０】
図３（ａ）に示すように、右側壁２の外壁２３の内側には、照明用の蛍光灯２６ａ〜２６ｄが設けられている。また、外壁２３と所定の角度を持って設けられた壁２４の内側には、蛍光灯２５ａ〜２５ｃが設けられている。同様に、左側壁３の外壁３３の内側には、蛍光灯３６ａ〜３６ｄが設けられ、外壁３３と所定の角度を持って設けられた壁３４の内側には、蛍光灯３５ａ〜３５ｃが設けられている。
【００３１】
また、図３（ａ）に示すように、後部壁４の外壁４２の内側には、主光源として蛍光灯４３ａ〜４３ｆが設けられ、また、背景用の光源として複数の赤色ＬＥＤ１１２、緑色ＬＥＤ１１５、青色ＬＥＤ１１８が設けられている。以下、赤色ＬＥＤ１１２、緑色ＬＥＤ１１５、青色ＬＥＤ１１８をまとめてカラー効果光源という場合もある。
【００３２】
また、図３（ｂ）に示すように、蛍光灯２６ａ〜２６ｄは拡散板２２で覆われており、蛍光灯２６ａ〜２６ｄからの光は拡散板２２を透過する際に拡散される。また、蛍光灯２５ａ〜２５ｃは拡散板２１で覆われており、蛍光灯２５ａ〜２５ｃからの光は拡散板２１を透過する際に拡散される。同様に、蛍光灯３６ａ〜３６ｄは拡散板３２で覆われており、蛍光灯３６ａ〜３６ｄからの光は拡散板３２を透過する際に拡散される。また、蛍光灯３５ａ〜３５ｃは拡散板３１で覆われており、蛍光灯３５ａ〜３５ｃからの光は拡散板３１を透過する際に拡散される。
【００３３】
拡散板２１や３１の向きは、被写体１０に向いていることが望ましく、すなわち、デジタルカメラ１２から被写体１０に向かう方向と同じ方向成分を有する光が、拡散板２１や３１を透過して又は拡散板２１や３１にて反射されて生成されることが望ましい。
【００３４】
また、図３（ｂ）に示すように、蛍光灯４３ａ〜４３ｆ、赤色ＬＥＤ１１２、緑色ＬＥＤ１１５、青色ＬＥＤ１１８は、拡散板４１で覆われており、蛍光灯４３ａ〜４３ｆ、赤色ＬＥＤ１１２、緑色ＬＥＤ１１５、青色ＬＥＤ１１８からの光は拡散板４１を透過する際に拡散される。
【００３５】
拡散板２１，２２，３１，３２，４１は、乳白色で透光性を有する乳白色板であって、例えば、アクリルやポリカーボネート等を用いることができる。
【００３６】
図４は、写真スタジオ装置１を図３（ｂ）の方向Ａから見た図であり、蛍光灯及びＬＥＤの配置を説明するため、拡散板４１を取り除いた状態で示した図である。
図４に示すように、蛍光灯４３ａ〜４３ｆの左右に複数の赤色ＬＥＤ１１２、緑色ＬＥＤ１１５、青色ＬＥＤ１１８がそれぞれ配置されている。赤色ＬＥＤ１１２、緑色ＬＥＤ１１５、青色ＬＥＤ１１８は、面方向に略一様に分布するよう同数ずつ設けられていることが望ましい。
【００３７】
図５に、ＬＥＤの駆動制御回路の一例を示す。図５に示すように、ＰＣ（Personal Computer）１００は、操作パネル１０１及び制御部１０２を備える。
【００３８】
操作パネル１０１は、ＬＣＤ（Liquid Crystal Display）等の表示画面を覆うように設けられたタッチパネルにより構成される。操作パネル１０１は、制御部１０２からの表示制御信号に従って、表示を行うとともに、電磁誘導式、磁気歪式、感圧式等の読み取り原理によって、タッチ指示された座標を検出し、検出した座標を位置信号として制御部１０２に出力する。操作パネル１０１を操作することにより、発光させる色の配色設定を行う。
【００３９】
制御部１０２は、図示しないＣＰＵ（Central Processing Unit）、ＲＯＭ（Read Only Memory）、ＲＡＭ（Random Access Memory）等により構成されている。ＣＰＵは、操作パネル１０１から入力される各種指示に従って、ＲＯＭに記録されている各種プログラムの中から指定されたプログラムをＲＡＭのワークエリアに展開し、上記プログラムとの協働によって各種処理を実行し、その処理結果をＲＡＭの所定の領域に格納するとともに、必要に応じて操作パネル１０１に表示させる。
【００４０】
制御部１０２は、定電流回路１１０，１１３，１１６にそれぞれ接続されており、操作パネル１０１によって設定された配色に応じて、定電流回路１１０，１１３，１１６に、赤色ＬＥＤ１１２、緑色ＬＥＤ１１５、青色ＬＥＤ１１８の点灯又は消灯制御命令を出力する。
【００４１】
定電流回路１１０は、制御部１０２の制御に従って、電源部１１１から電源の供給を受けて、赤色ＬＥＤ１１２に定電流を供給し、赤色ＬＥＤ１１２を発光させる。同様に、定電流回路１１３は、制御部１０２の制御に従って、電源部１１４から電源の供給を受けて、緑色ＬＥＤ１１５に定電流を供給し、緑色ＬＥＤ１１５を発光させる。また、定電流回路１１６は、制御部１０２の制御に従って、電源部１１７から電源の供給を受けて、青色ＬＥＤ１１８に定電流を供給し、青色ＬＥＤ１１８を発光させる。
【００４２】
なお、ここでは混合色の作成のしやすさから赤色ＬＥＤ１１２、緑色ＬＥＤ１１５、青色ＬＥＤ１１８を使用したが、背景色が決まっている場合は、複数の異なる色のＬＥＤを準備しておき、目的の色のＬＥＤを発光させるようにしてもよい。
【００４３】
また、ＬＥＤだけでなく、液晶や有機ＥＬ等を用いてもよく、これらを用いた場合には光の強弱調節を行うことにより簡単に光量を調節することができるため、より自由度の高い表現が可能となる。背景用の光源としては、被写体の撮影条件（カメラのシャッタースピードや絞り、より好ましくはホワイトバランスも含む）に変化を与えない程度の光量のものであれば、何でも利用することが可能である。
【００４４】
なお、着色の蛍光灯や電球により一様な背景を作ることも可能であるが、消灯時にも他の光を受けて発光してしまう等、取り扱いが難しく、好ましくない。
【００４５】
次に、写真スタジオ装置１の動作について説明する。
図６は、写真スタジオ装置１において実行される光源発光処理を示すフローチャートである。
【００４６】
まず、撮影用主光源の電源が入れられると（ステップＳ１）、主光源として蛍光灯２５ａ〜２５ｃ，２６ａ〜２６ｄ，３５ａ〜３５ｃ，３６ａ〜３６ｄ，４３ａ〜４３ｆの発光が開始される（ステップＳ２）。
【００４７】
次に、カラー効果光源を使用する場合には（ステップＳ３；ＹＥＳ）、カラー効果光源の配色が設定される（ステップＳ４）。例えば、操作パネル１０１において、赤・緑・青・黄・シアン・マゼンタを選択する設定画面が表示され、ユーザは背景として希望する色を選択することにより設定を行う。
【００４８】
カラー効果光源の配色が設定されると、制御部１０２により定電圧回路１１０，１１３，１１６が制御され、カラー効果光源として設定された色に対応するＬＥＤが駆動され（ステップＳ５）、カラー効果光源の発光が開始される（ステップＳ６）。
【００４９】
例えば、背景色として「赤」が設定された場合には、赤色ＬＥＤ１１２のみが点灯され、緑色ＬＥＤ１１５及び青色ＬＥＤ１１８は点灯されない。背景色として「緑」が設定された場合には、緑色ＬＥＤ１１５のみが点灯され、赤色ＬＥＤ１１２及び青色ＬＥＤ１１８は点灯されない。背景色として「青」が設定された場合には、青色ＬＥＤ１１８のみが点灯され、赤色ＬＥＤ１１２及び緑色ＬＥＤ１１５は点灯されない。また、背景色として「黄」が設定された場合には、赤色ＬＥＤ１１２及び緑色ＬＥＤ１１５が点灯され、青色ＬＥＤ１１８は点灯されない。背景色として「シアン」が設定された場合には、緑色ＬＥＤ１１５及び青色ＬＥＤ１１８が点灯され、赤色ＬＥＤ１１２は点灯されない。背景色として「マゼンタ」が設定された場合には、赤色ＬＥＤ１１２及び青色ＬＥＤ１１８が点灯され、緑色ＬＥＤ１１５は点灯されない。
【００５０】
図５では、ＬＥＤを色毎に直列に接続した例を示したが、適当な個数単位で点灯又は消灯が可能なように配線して、よりきめ細かい配色設定を行うこととしてもよい。例えば、後部壁４に赤色・緑色・青色の各色ＬＥＤが５０個ずつ設けられている場合、それぞれ５０個点灯する場合と２５個点灯する場合とを制御可能とし、赤５０個・緑５０個・青５０個点灯、赤２５個・緑５０個・青５０個点灯、赤５０個・緑２５個・青５０個点灯、赤５０個・緑５０個・青２５個点灯、赤２５個・緑２５個・青２５個点灯、赤０個・緑５０個・青５０個点灯、・・・、全消灯（蛍光灯のみ点灯）等、各色ＬＥＤの組み合わせにより、様々な色を表現することができる。
【００５１】
そして、設定された色を背景として撮影が行われる（ステップＳ７）。
【００５２】
ステップＳ３において、カラー効果光源を使用しない場合には（ステップＳ３；ＮＯ）、主光源のみが発光している状態で撮影が行われる（ステップＳ７）。
【００５３】
以上説明したように、写真スタジオ装置１では、設定された配色に応じて、赤色ＬＥＤ１１２、緑色ＬＥＤ１１５、青色ＬＥＤ１１８により、写真撮影時の背景色を変更することができる。また、後部壁４の面方向に略一様に目的とする色を表現することができる。また、拡散板２１，２２，３１，３２，４１により、蛍光灯２５ａ〜２５ｃ，２６ａ〜２６ｄ，３５ａ〜３５ｃ，３６ａ〜３６ｄ，４３ａ〜４３ｆ、赤色ＬＥＤ１１２、緑色ＬＥＤ１１５及び青色ＬＥＤ１１８からの光を拡散させ、光源の位置による光量ムラを低減させることができる。
【００５４】
また、背景の上半分と下半分等、背景を複数の領域に分割し、各領域で異なる配色を選択可能としてもよい。例えば、上半分を黄色、下半分を緑色に発光させることによって、菜の花畑のような雰囲気を出したり、上半分をピンク色、下半分を茶色に発光させることによって、桜並木のような雰囲気を出したりすることができる。
【００５５】
なお、赤色ＬＥＤと緑色ＬＥＤにより黄色を表現する等、混合色を表現する場合に、各色ＬＥＤの位置が離れすぎると、それぞれの単色発光として認識されてしまい、混合色に見えない場合がある。そこで、図７に示すように、混合色を表現可能な位置に赤色ＬＥＤ１１２、緑色ＬＥＤ１１５、青色ＬＥＤ１１８を配置して多様な色発光を行わせる配置とすることとしてもよい。また、赤色・緑色・青色の３原色が混ざらないように、単体の原色が鮮やかに発光する配置とすることとしてもよい。
【００５６】
また、上記実施の形態では、ＰＣ１００を用いてＬＥＤの駆動制御を行うこととしたが、ＰＣ１００の代わりにセレクタスイッチを直接、定電流回路１１０，１１３，１１６に接続し、赤色ＬＥＤ１１２、緑色ＬＥＤ１１５、青色ＬＥＤ１１８の点灯又は消灯を行うこととしてもよい。
【００５７】
また、ステップＳ４で配色設定を行う際に、操作パネル１０１において時間で発光パターンを変化させるようにプログラムを入力するようにしてもよい。また、不図示であるが、カメラに向きを検知するセンサーを組み込んでおき、撮影者がカメラの向きを変える方向を検知して発光パターンを変えるようにしてもよい。
【００５８】
また、上記実施の形態における記述は、本発明に係る写真スタジオ装置の例であり、これに限定されるものではない。装置を構成する各部の細部構成及び細部動作に関しても本発明の趣旨を逸脱することのない範囲で適宜変更可能である。
【図面の簡単な説明】
【００５９】
【図１】本実施の形態における写真スタジオ装置を示す斜視図である。
【図２】写真スタジオ装置の上方部分の構成を示す斜視図である。
【図３】写真スタジオ装置の平面図である。
【図４】写真スタジオ装置を図３（ｂ）の方向Ａから見た図である。
【図５】ＬＥＤの駆動制御回路の一例を示す図である。
【図６】光源発光処理を示すフローチャートである。
【図７】ＬＥＤの異なる配置例を示す図である。
【符号の説明】
【００６０】
１  写真スタジオ装置
２  右側壁
２１，２２  拡散板
２３  外壁
２４  壁
２５ａ〜２５ｃ  蛍光灯
２６ａ〜２６ｄ  蛍光灯
３  左側壁
３１，３２  拡散板
３３  外壁
３４  壁
３５ａ〜３５ｃ  蛍光灯
３６ａ〜３６ｄ  蛍光灯
４  後部壁
４１  拡散板
４２  外壁
４３ａ〜４３ｆ  蛍光灯
５  拡散部材
６  照明部材
６１〜６６  蛍光灯
６ａ〜６ｅ  支柱
７  撮影対象領域
８  敷物
１０  被写体
１１  撮影者
１２  デジタルカメラ
１００  ＰＣ
１０１  操作パネル
１０２  制御部
１１０，１１３，１１６  定電流回路
１１１，１１４，１１７  電源部
１１２  赤色ＬＥＤ
１１５  緑色ＬＥＤ
１１８  青色ＬＥＤ
【図１】
2006349802.tif 000003
【図２】
2006349802.tif 000004
【図３】
2006349802.tif 000005
【図４】
2006349802.tif 000006
【図５】
2006349802.tif 000007
【図６】
2006349802.tif 000008
【図７】
2006349802.tif 000009